(57)【要約】【課題】液体ディスペンサと共に使用するための改善された分配先端部を提供すること。【解決手段】液体材料を分配するための分配注射器と共に使用するための管は、近位端と、当該近位端と反対側の遠位端と、を有する本体を含む。近位端は、分配注射器に接続されたハブに接続される。当該管はまた、近位端と遠位端との間で本体を通って延在するチャネルと、近位端の入口と、遠位端の出口と、を含む。入口及び出口は、チャネルと流体連通している。入口は、液体材料をチャネル内に受容する。チャネルは、近位端が第１の内径を有し、出口が第１の内径よりも小さい第２の内径を有するように、遠位方向に部分的にテーパ状になっている。【選択図】図１
2020015038.tif 000002
【特許請求の範囲】
【請求項１】
液体材料を分配するための分配注射器と共に使用するための管であって、
近位端と当該近位端の反対側の遠位端とを有する本体であって、前記近位端が前記分配注射器に接続されるように構成されたハブに接続されるように構成されている、本体と、
前記近位端と前記遠位端との間で前記本体を通って延在するチャネルと、
前記近位端の入口であって、前記チャネルと流体連通し、前記液体材料を前記チャネル内に受容するように構成されている、入口と、
前記遠位端の出口であって、前記チャネルと流体連通している、出口と、
を備え、
前記チャネルは、前記近位端が第１の内径を有し、前記出口が前記第１の内径よりも小さい第２の内径を有するように、遠位方向に部分的にテーパ状になっている、管。
【請求項２】
前記第２の内径は、約５μｍ〜約５００μｍである、請求項１に記載の管。
【請求項３】
前記第２の内径は、約３０μｍ〜約６０μｍである、請求項２に記載の管。
【請求項４】
前記第２の内径は、約５０μｍである、請求項３に記載の管。
【請求項５】
前記第２の内径は、約３５μｍである、請求項３に記載の管。
【請求項６】
前記チャネルは、当該チャネル内の中央に配設された分配軸を含み、
前記チャネルの前記テーパ部分は、前記分配軸に対するテーパ角度を含む、請求項１に記載の管。
【請求項７】
前記テーパ角度は、約３度〜約３０度である、請求項６に記載の管。
【請求項８】
前記テーパ角度は、約５度〜約１５度である、請求項７に記載の管。
【請求項９】
前記管は、セラミックで構成されている、請求項１に記載の管。
【請求項１０】
前記セラミックは、黒色セラミックである、請求項９に記載の管。
【請求項１１】
液体材料を分配するための分配装置であって、
前記液体材料を受容するように構成された内部コンパートメントを有するバレルと、
前記バレルに取り外し可能に接続されるように構成された分配先端部と、
を備え、
前記分配先端部は、前記バレルの前記内部コンパートメントと流体連通するチャンバを有し、
前記チャンバは、前記液体材料を前記内部コンパートメントから受容するように構成されており、
前記分配先端部は、内部を通って近位端の入口と遠位端の出口との間に延在するチャネルを有する分配管を含み、
前記分配管は、前記液体材料を前記入口において前記チャネル内に受容し、前記液体材料を前記出口から分配するように構成されており、
前記チャネルは、前記遠位方向に部分的にテーパ状になっている、分配装置。
【請求項１２】
前記チャネルの前記近位端は、第１の内径を有し、
前記チャネルの前記出口は、前記第１の内径よりも小さい第２の内径を有する、請求項１１に記載の分配装置。
【請求項１３】
前記第２の内径は、約５μｍ〜約５００μｍである、請求項１２に記載の分配装置。
【請求項１４】
前記第２の内径は、約３０μｍ〜約６０μｍである、請求項１３に記載の分配装置。
【請求項１５】
前記第２の内径は、約５０μｍである、請求項１４に記載の分配装置。
【請求項１６】
前記第２の内径は、約３５μｍである、請求項１４に記載の分配装置。
【請求項１７】
前記第１の分配先端部の代わりに、前記バレルに取り外し可能に接続されるように構成された第２の分配先端部
を更に備える、請求項１１に記載の分配装置。
【請求項１８】
前記分配管は、セラミックで構成されている、請求項１１に記載の分配装置。
【請求項１９】
前記セラミックは、黒色セラミックである、請求項１８に記載の分配装置。
【請求項２０】
液体材料を分配する方法であって、
前記液体材料を分配装置内に提供する工程であって、前記分配装置が前記液体材料を分配するための管を有し、前記管が内部を通って延在するチャネルを有する、という工程と、
前記液体材料を、第１の内径を有する前記チャネルの第１の部分を通って移動させる工程と、
前記液体材料を、前記チャネルの第２のテーパ部分を通って、第２の内径を有する出口まで移動させる工程であって、前記第２の内径が前記第１の内径よりも小さい、という工程と、
前記液体材料の堆積物を基材上に形成する工程と、を含む、方法。
【請求項２１】
前記管を前記分配装置から取り外す工程と、
第２の管を前記分配装置に接続する工程と、を更に含む、請求項２０に記載の方法。
【発明の詳細な説明】
【技術分野】
【０００１】
（関連出願の相互参照）
本出願は、２０１８年７月２６日に出願された米国特許仮出願第６２／７０３，５７６号の優先権を主張し、その開示内容は当該参照により本明細書に組み込まれる。
【０００２】
（発明の分野）
本開示は、概して、液体材料を分配することに関し、より具体的には、液体材料を分配するための注射器用の管取り付け具に関する。
【背景技術】
【０００３】
様々なタイプのディスペンサが、接着剤、はんだ、及び他の同様の材料などの液体を、組み立てプロセス中に基材上に塗布するために、多くの業界で使用されている。液体ディスペンサの１つのタイプは、分配される液体材料の供給物を保つためのバレルリザーバを画定するディスペンサ本体を有する注射器タイプのディスペンサである。分配先端部（ディスペンシングチップ）が、一方の端部において注射器に連結され、前記リザーバと流体連通している。前記リザーバ内に配設されたピストンが、当該リザーバ内の液体を加圧し、それによって少量の液体を分配先端部から基材上に分配するために、その内部で移動可能である。
【０００４】
既存のディスペンサは、比較的大きい直径の液体流、用途間で可変の速度、及び、部品の保守又は交換に起因する分配の一時停止、を生じさせる分配先端部を使用する。既存のディスペンサはまた、比較的小さい直径で所望の流速を達成するために、高い圧力を必要とする。
【０００５】
したがって、液体ディスペンサと共に使用するための改善された分配先端部のためのニーズが存在する。
【発明の概要】
【０００６】
前述のニーズは、開示される分配先端部の様々な態様によって満たされる。本開示の一態様によれば、液体材料を分配するための分配注射器と共に使用するための管は、近位端と、当該近位端と反対側の遠位端と、を有する本体を含む。近位端は、分配注射器に接続されるように構成されたハブに接続されるように構成されている。当該管はまた、近位端と遠位端との間で本体を通って延在するチャネルと、近位端の入口と、遠位端の出口と、を含む。入口及び出口は、チャネルと流体連通している。入口は、液体材料をチャネル内に受容するように構成されている。チャネルは、近位端が第１の内径を有し、出口が第１の内径よりも小さい第２の内径を有するように、遠位方向に部分的にテーパ状になっている。
【０００７】
別の態様によれば、液体材料を分配するための分配装置は、内部に液体材料を受容するように構成された内部コンパートメントを有するバレルと、分配先端部と、を備えている。当該分配先端部は、バレルに取り外し可能に接続されるように構成されており、バレルの内部コンパートメントと流体連通するチャンバを有する。チャンバは、液体材料を内部コンパートメントから受容するように構成されている。分配先端部は、内部を通って近位端の入口と遠位端の出口との間に延在するチャネルを有する分配管を含む。当該分配管は、液体材料を入口においてチャネル内に受容し、液体材料を出口から分配するように構成されている。チャネルは、遠位方向に部分的にテーパ状になっている。
【０００８】
別の態様によれば、液体材料を分配する方法は、液体材料を分配装置内に提供する工程であって、分配装置が液体材料を分配するための管及び当該管を通って延在するチャネルを有する、という工程と、液体材料を第１の内径を有するチャネルの第１の部分を通って移動させる工程と、液体材料をチャネルの第２のテーパ部分を通って第２の内径を有する出口まで移動させる工程と、液体材料の堆積物を基材上に形成する工程と、を含む。第２の内径は、第１の内径よりも小さい。
【０００９】
本出願は、添付の図面と併せて読むことで更に理解される。当該主題を例示する目的のために、当該主題の例示的実施形態を図面に示すが、本開示の主題は、開示される具体的な方法、装置及びシステムに限定されない。
【図面の簡単な説明】
【００１０】
【図１】分配管を含む分配先端部を有する分配注射器の等角図を例示する。
【００１１】
【図２】分配管を有する分配先端部の等角図を例示する。
【００１２】
【図３】ハブの断面図を例示する。
【００１３】
【図４】接着剤を備えた分配管の等角図を例示する。
【００１４】
【図５】図４の分配管の断面図を例示する。
【００１５】
【図６】別の分配管の断面図を例示する。
【００１６】
【図７Ａ】分配管の側面斜視図を例示する。
【００１７】
【図７Ｂ】図７の分配管の断面図を例示する。
【００１８】
【図７Ｃ】図７Ａ及び図７Ｂの分配管の一部分の断面図を例示する。
【００１９】
【図７Ｄ】別の分配管の断面図を例示する。
【発明を実施するための形態】
【００２０】
ここで、本開示の態様が、図面を参照して詳細に記載される。同様の参照番号は、特に指定されない限り、全体にわたって同様の要素を指す。
【００２１】
液体材料は、様々な異なる方法で、異なるディスペンサ、分配機構及び分配パターンを使用して、分配され得る。図１は、例示的な液体分配注射器３０を例示している。注射器３０は、そこから液体材料を分配するための分配端部を有する細長い管状本体を備える。いくつかの態様では、ピストンが、注射器（シリンジ）３０内に摺動可能に配設され得て、当該注射器３０の中で分配端部に向かって又は分配端部から離れるように摺動可能に移動可能であり得る。分配先端部１０が、注射器３０内の材料が当該注射器３０から分配先端部１０まで移動され得て、その後、注射器３０に恒久的に又は解放可能に接続された分配管１００から分配され得るように、注射器３０に取り外し可能に連結される。注射器３０が図に示されているが、任意の好適な容器を利用して、液体材料を受容し分配先端部１０と係合することができることが理解されよう。
【００２２】
分配先端部１０は、ねじ山、ルアーロック、スナップ嵌合、摩擦嵌合、又は別の保持機構などの、分配の分野で典型的に利用される任意の既知の接続方法を介して、注射器３０又は別の好適な容器と、係合し得る。図２及び図３を参照すると、分配先端部１０は、近位端１３と、当該近位端１３と反対側の遠位端１５と、を有するハブ１２を含む。ねじ山１７は、分配先端部１０を注射器３０に固定するのを助けるために、近位端１３に又はそれに隣接して配設され得る。
【００２３】
第１の開口部１４は近位端１３に配設され、第２の開口部１６は遠位端１５に配設されている。ハブ１２は、少なくとも部分的に内側が中空であり、近位端１３と遠位端１５との間に延在して第１の開口部１４及び第２の開口部１６と流体連通するチャンバ１９を画定する。
【００２４】
分配管１００は、遠位端１５において分配先端部１０のハブ１２に連結される。図４乃至図７Ｄを参照すると、分配管１００は、実質的に円筒形の部分と、実質的に円錐形の部分と、を有するように示されている。しかしながら、プリズム形、球形若しくは半球形、台形、又は別の形状の組み合わせなどの、他の形状及び形状配置が可能であることが理解されよう。分配管１００は、近位端１０２と、当該近位端と反対側の遠位端１０６と、を有する。
【００２５】
入口１０４が、ハブ１２のチャンバ１９を通って流れる液体材料を受容するために、近位端１０２に配設されている。液体材料は、チャンバ１９から第２の開口部１６を通って、入口１０４を通って分配管１００の中へ通過し得る。分配管１００は、内部を通って近位端１０２から遠位端１０６まで延在するチャネル１１０を画定する。出口１０８が、遠位端１０６に配設されており、チャネル１１０と流体連通している。液体材料は、分配管１００を通って移動し、入口１０４から出口１０８まで軸方向に延在する分配軸Ａに沿って出口１０８を通って出ることができる。
【００２６】
分配管１００は、チャネル１１０が一定の断面形状及び／または直径を有するように製造され得るか、または、可変の形状若しくは直径を有し得る。いくつかの態様では、例えば、チャネル１１０は、異なる寸法を有する複数のセクションを含み得る。図５を参照すると、例えば、チャネル１１０は、遷移点１１６で第２のセクション１１４から分離された第１のセクション１１２を含み得る。チャネル１１０の第１のセクション１１２は、第１の直径Ｄ１を有し得て、第２のセクション１１４は、第２の直径Ｄ２を有する分配管１００の出口１０８に向かってテーパ状であり得る。図面に示されるように、第１の直径Ｄ１は、第２の直径Ｄ２よりも大きくてもよい。
【００２７】
チャネル１１０の第１のセクション１１２は、近位端１０２と遷移点１１６との間に画定され得て、実質的に円筒形であり得て、貫通する一定の直径を有し得る。いくつかの態様では、入口１０４は、第１のセクション１１２と同じ断面形状（例えば、円形）を有することができ、第１の直径Ｄ１と等しい直径を有するように寸法決めされ得る。
【００２８】
第２のセクション１１４は、遷移点１１６と遠位端１０６との間に画定され得て、当該セクション内のチャネル１１０が可変寸法を有するように画定され得る。いくつかの態様では、第２のセクション１１４は、チャネル１１０が遷移点１１６から遠位端１０６に向かう方向に狭くなるようなテーパ部を含み得る。
【００２９】
分配管１００は、製造上の好み、分配される液体材料、基材上の分配された材料の寸法、又は別の要因に基づいて、異なる第１及び第２の直径Ｄ１、Ｄ２を有するように設計され得る。第１の直径Ｄ１は、液体材料が近位端１０２から遠位端１０６まで分配管１００を通って移動するときに当該液体材料がより大きい第１の直径Ｄ１からより小さい第２の直径Ｄ２への方向で移動する、というように、第２の直径Ｄ２よりも大きくてもよい。したがって、より大きい第１の直径Ｄ１により、分配管１００を通して液体材料を移動させるのに必要とされる圧力が小さくなる。
【００３０】
第１の直径Ｄ１は、約０．０５ｍｍ〜約５ｍｍ、約０．２ｍｍ〜約３ｍｍ、約０．５ｍｍ〜約１ｍｍ、又は別の好適な範囲などの、任意の好適な寸法であり得る。いくつかの態様では、第１の直径Ｄ１は、おおよそ０．７ｍｍであり得る。第２の直径Ｄ２もまた、約０．００１ｍｍ〜約１ｍｍ、約０．００５ｍｍ〜約０．５ｍｍ、約０．０１ｍｍ〜０．１ｍｍ、約０．０２ｍｍ〜約０．０８ｍｍ、約０．０３ｍｍ〜約０．０６ｍｍ、又は別の好適な範囲などの、任意の好適な寸法であり得る。いくつかの態様では、第２の直径Ｄ２は、おおよそ０．０５ｍｍであり得る。更なる態様では、第２の直径Ｄ２は、おおよそ０．０３５ｍｍであり得る。第１及び第２の直径Ｄ１、Ｄ２に関して上に開示された範囲の任意の組み合わせを利用することができる様々な態様が存在すること、並びに、第１の直径Ｄ１が第２の直径Ｄ２よりも大きい態様では第１の直径Ｄ１の選択された寸法は第２の直径Ｄ２の選択された寸法よりも大きくなること、が理解されよう。
【００３１】
２つのセクションを有する分配管１００を図は示しているが、分配管１００は、３つ、４つ、５つ、又は他の任意の数のセクションなどの、異なる数のセクションを有し得ることが理解されよう。各セクションは、他の全てのセクションとは異なる寸法、又は代替的に、他のセクションのうちの１つ以上に一致する寸法、を有し得る。いくつかの態様では、分配管１００は、第１のセクション１１２と同様のセクションであってその長さに沿って一定の直径を有するセクション、又は、第２のセクション１１４と同様のセクションであってその長さに沿って可変直径を画定するテーパ部を有するセクションなどの、単一のセクションを有し得る。
【００３２】
分配管１００は、全体にわたって一定の直径を有し得るか、又は代替的に、第２のセクション１１４と同じテーパ角度αで若しくは異なるテーパ角度でテーパ状になり得る、第３のセクション（図示せず）を更に含み得る。第３のセクションは、第１のセクション１１２、第２のセクション１１４、又は両方のセクションに隣接していてもよい。
【００３３】
いくつかの態様では、第２のセクション１１４内に存在するテーパ部は、一定であってもよい。図６を参照すると、第２のセクション１１４は、分配軸Ａに対して測定されるテーパ角度αでテーパ状になっていてもよい。テーパ角度αは、製造上の好み及び能力に応じて、並びに、分配管１００の長さ、厚さ、所望の直径（例えば、直径Ｄ１若しくは直径Ｄ２）、所望の用途、分配される液体、又はテーパ仕様によって影響され得る他の要因、などのパラメータに応じて、選択され得ることが理解されよう。
【００３４】
代替の態様では、第２のセクション１１４のテーパ部は、その長さに沿って変化し得る。例えば、分配軸Ａから測定されるテーパ角度αは、第２のセクション１１４の長さに沿って増加又は減少し得る。これは、テーパ角度αが増加しているか又は減少しているかに応じて、第２のセクション１１４に隣接する分配管１００の内部を凸状又は凹状として画定し得る（図示せず）。テーパ角度αは、例えば、約１度〜約６０度、約３度〜約３０度、又は約５度〜約１５度であり得る。
【００３５】
分配管１００は、異なる好適な材料、例えば、金属、プラスチック、合金、及び／又はセラミック、から製造され得る。いくつかの態様では、分配管１００は、ステンレス鋼などの鋼を含み得る。代替の態様では、分配管１００は、黒色ジルコニアなどの黒色セラミックのようなセラミックを含み得る。更に別の態様では、分配管１００は、ジルコニア強化アルミナを含み得る。分配管１００は、全体にわたって均一なメークアップを備えるように、あるいは代替的に、当該分配管１００の様々な部分において材料の異なる分布を有するように、製造され得る。分配管１００を構成する材料は、液体材料の容易な摺動を可能にするべきであり、液体材料の流れに悪影響を及ぼすべきではないことが理解されよう。
【００３６】
分配管１００は、混合物としての、又は異なる材料を含む分配管１００の異なる部分との、材料の組み合わせを含み得る。例えば、遠位端１０６は、分配活動に関連付けられた応力に耐える硬質材料などの、近位端１０２とは異なる材料を含み得る。いくつかの態様では、コーティングが、チャネル１１０の内側の液体材料が当該コーティング（図示せず）に接触するように、分配管１００の内部に塗布され得る。コーティングは、分配管１００の他の部分、例えば、外部表面にも塗布され得ることが理解されよう。いくつかの態様では、コーティングは、ポリテトラフルオロエチレン（polytetrafluoroethylene、ＰＴＦＥ）又は別の好適な材料を含み得る。
【００３７】
分配管１００は、本出願全体にわたって開示されるような任意の好適な保持方法によって、分配先端部１０のハブ１２に又はその内部に固定され得る。いくつかの態様では、接着剤２０を使用して分配管１００をハブ１２に接続することができる。接着剤２０は、任意の好適な接着剤を含み得る。接着剤２０の組成は、当該接着剤が構成要素を互いに効果的に固定することができるように、分配管１００及びハブ１２内に存在する材料に依存するであろうことが理解されよう。いくつかの態様では、接着剤２０は、分配管１００とハブ１２との間の空間に容易に進入するのに十分低い粘性率を有する流動性接着剤を含み得る。次いで、当該接着剤２０を粘稠度がより小さくなるように固化させることができる。接着剤２０は、それ自体で外部の介入なしに所与の乾燥期間を経過する際に固化し得るか、又は代替的に、接着剤２０は、硬化プロセスを刺激するように処置され得る（例えば、紫外線、高温、硬化流体、又は硬化プロセスを加速させる別の要因、に曝露される）。
【００３８】
図３及び図４を参照すると、分配管１００は、分配先端部１０上のハブ１２の遠位端１５に又はそれに隣接して配設されたレセプタクル１８内に部分的に挿入され得る。レセプタクル１８は、チャンバ１９と流体連通しており、チャンバ１９から液体材料を受容し、それを分配管１００に通過させることができる。レセプタクル１８は、分配管１００と分配先端部１０の残りの部分との係合を改善するために、分配管１００、接着剤２０、又はその両方、と係合するように構成された１つ以上の保持部材２１を含み得る。保持部材２１は、リブ、ノッチ、突出部、ねじ山、又は分配管１００とハブ１２との間の接触を増加させるように構成された他の構造的特徴、を含み得る。いくつかの態様では、分配管１００は、分配先端部１０上の保持部材２１に加えて又はその代わりに、保持部材（図示せず）を有し得る。
【００３９】
分配管１００を有する分配先端部１０は、それらが一緒に使用される分配装置、例えば注射器３０、から接続解除することができ、分配管１００を有する異なる分配先端部１０を代わりに接続することができる。分配プロセス中において、動作中に被る損傷により、分配先端部１０、分配管１００、又はそれらの組み合わせ、を交換することが有利な場合がある。本出願全体にわたって記載される構成要素は、分配中に様々な応力に供され、分配時間の設定期間又は所与の量の材料が分配された後に、破断、屈曲、破砕し得るか、又は別様に損傷を被り得る。ハブ１２又は分配管１００などの、分配先端部１０の構成要素は、動作の過程にわたって１つ以上の材料で詰まってしまうことがある。加えて、保守又は他の理由により、分配プロセスが非動作中であるときに構成要素を交換することが好ましい場合がある。更に、本明細書で論じられる分配先端部１０及び分配管１００の異なる態様は、分配されるべき具体的な液体材料ないし具体的な分配パターンで利用することができ、異なる液体材料が導入されるとき又は異なる分配パターンが選択されるとき、分配先端部１０及び／又は分配管１００を交換することができる。
【００４０】
様々な分配パラメータが、所望の分配パターン、量、持続時間、速さ、及び他の要因に基づいて、事前設定又は事前プログラミングされる。分配パラメータは、分配先端部１０の構造的特徴に関連し、具体的にはハブ１２及び／又は分配管１００に関連するものである。ハブ１２及び分配管１００内の圧力、液体材料の流速及び粘性、並びに他の要因は、固有の分配パラメータに対応し得る。既存の分配システムでは、分配管は様々な直径を有することが多く、分配管が屈曲又は湾曲を起こしやすく、材料が分配管に詰まって流れの障害を生じさせることが多かった。既存の分配管は、大きな製造公差を有し、その結果、管を通って延在する一貫性のないサイズの出口オリフィス及びチャネルをもたらす。これにより、材料の信頼できない一貫性のない分配、及び異なるセットの分配パラメータ、をもたらす。既存の管の製造プロセス及び使用される材料に基づいて、公差を抑えることができなかった。損傷した分配管が交換されると、新しい管は、異なる屈曲、湾曲、及び異なる寸法の内径ゆえに、異なる特性を有する可能性が高い。これは、材料がどのように分配されるかに影響を及ぼし、分配パラメータは、一貫した分配を確実にするために調整又は再較正されなければならない。
【００４１】
一方、本明細書に開示される分配管１００の態様は、より小さい内径公差を有し、分配管１００の例示的な形状及び寸法は、増加した耐久性を提供し、管の寿命にわたる材料のより一貫した分配を可能にする。加えて、より小さい公差ゆえ、個々の分配管１００間の寸法の一貫性が高い。この改善された一貫性により、分配システムの分配パラメータの変更が少なくなり、管又は先端部が交換されるときに分配パラメータを再較正する必要性を減少させる。
【００４２】
本出願全体にわたって開示される分配管１００は、既存の分配管の対応する出口オリフィスよりも小さい出口１０８を有し得る。液体材料は、細長いストランド及び／又は液滴などの様々な形状及びパターンで、分配管１００から基材（図示せず）上に分配され得る。液滴が基材上に形成される態様では、開示される分配管１００により、分配される液滴を既存の分配管から分配される液滴よりも小さく、例えば、既存の液滴の約３分の２のサイズ、約２分の１のサイズ、約３分の１のサイズ、又は既存の液滴の約４分の１のサイズにすることができる。堆積される液体材料のより小さいサイズは、液体材料がどの程度の量分配されるか、及び、液体材料が基材上のどこに分配されるか、のより良好な制御を可能にするため、有利であり得る。これはまた、分配される液滴の密度、液滴の形状、及び分配の持続時間などの、分配パターンのより良好な制御のための選択肢を提供する。
【００４３】
図７Ａに示されるように、約３０度などのテーパ部を有する（例えば、第１のセクション１１２及び第２のセクション１１４を有する）分配管では、材料の流れは、分配管のそれぞれの入口から出口まで一定の内径を有する既存の分配管よりも改善される。現在使用されている分配管は、多くの場合、内部を通る液体材料の流れに対して、望ましくない高い抵抗を有する。したがって、既存の分配管は、液体材料を、分配管の中に、分配間を通って、及び、分配管から外へ、移動させるために高い圧力の適用を必要とする。これは、分配管のより速い劣化、圧力を加えるために使用される無駄なエネルギー、並びに、一貫性のない液体材料の分配及び基材上への堆積物の形成、をもたらし得る。これはまた、所望の堆積物サイズを達成するためにより多くの時間を必要とする。本出願全体にわたって開示される分配管１００の態様では、液体材料が第１の直径Ｄ１を有する第１のセクション１１２から、第１の直径Ｄ１よりも小さい第２の直径Ｄ２を有する第２のセクション１１４内へと移動するとき、第２のセクション１１４を通って進行する液体材料の速度は、第１のセクション１１２内での液体材料の速度と比較して増加する。したがって、分配管１００を通して所望の量の液体材料を移動させるために、既存の分配管の中よりも小さい圧力が必要とされ得る。例えば、圧力は、約５ｐｓｉｇ〜約１００ｐｓｉｇの範囲であり得て、速度は、約０．００１ｍ／秒〜約１．０ｍ／秒の範囲であり得る。
【００４４】
様々な図の様々な実施形態と共にシステム及び方法を記載してきたが、これらの広範な発明概念から逸脱することなく実施形態に対して変更を行うことができることが当業者によって理解されよう。したがって、本開示は、開示される特定の実施形態に限定されるものではなく、特許請求の範囲によって定義される本開示の趣旨及び範囲内の修正を網羅することが意図されていることが理解される。
【図１】
2020015038.tif 000003
【図２】
2020015038.tif 000004
【図３】
2020015038.tif 000005
【図４】
2020015038.tif 000006
【図５】
2020015038.tif 000007
【図６】
2020015038.tif 000008
【図７Ａ】
2020015038.tif 000009
【図７Ｂ】
2020015038.tif 000010
【図７Ｃ】
2020015038.tif 000011
【図７Ｄ】
2020015038.tif 000012